【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
無線通信網においてルータのリソースを予約する方法であって、
第１のエージェントが、第２のエージェントに対して、当該第１のエージェントの識別情報を含む第１のパスメッセージを送信するステップと、
前記第１のパスメッセージを受信した前記第２のエージェントが、前記第１のエージェントに対して、前記第１のエージェントの識別情報と第１のセッションオブジェクトとを含む第１の予約要求メッセージを送信するステップと、
前記第２のエージェントと前記第１のエージェントの間の経路上に位置し、前記第１の予約要求メッセージを中継するルータが、当該第１の予約要求メッセージに含まれる前記第１のセッションオブジェクトに対応づけて自身のリソースを予約するステップと、
前記第１のエージェントとは異なる第３のエージェントが、前記第２のエージェントに対して、当該第３のエージェントの識別情報を含む第２のパスメッセージを送信するステップと、
前記第２のパスメッセージを受信した前記第２のエージェントが、前記第３のエージェントに対して、前記第３のエージェントの識別情報と第２のセッションオブジェクトとを含む第２の予約要求メッセージを送信するステップと、
前記第２のエージェントと前記第３のエージェントの間の経路上に位置し、前記第２の予約要求メッセージを中継するルータが、当該第２の予約要求メッセージに含まれる前記第２のセッションオブジェクトに対応づけて自身のリソースを予約するステップと
を有し、
前記第２の予約要求メッセージを中継するルータのうち、前記第１の予約要求メッセージを中継したルータは、前記第２の予約要求メッセージに含まれる前記第２のセッションオブジェクトと、前記第１の予約要求メッセージに含まれる前記第１のセッションオブジェクトとが同一の内容を示す情報であって、前記第２の予約要求メッセージに含まれる前記第３のエージェントの識別情報と、前記第１の予約要求メッセージに含まれる前記第１のエージェントの識別情報とが異なる内容を示す情報である場合には、前記第２のセッションオブジェクトに対応づけた自身のリソースの予約を行わないことを特徴とする方法。
【請求項２】
前記第１のエージェントの識別情報は、前記第１のエージェントのアドレスとポート番号のうち少なくともいずれか１を含み、前記第３のエージェントの識別情報は、前記第３のエージェントのアドレスとポート番号のうち少なくともいずれか１を含むことを特徴とする請求項１に記載の方法。
【請求項３】
前記第１及び第２のセッションオブジェクトは、前記第２のエージェントのアドレス、前記第２のエージェントのポート番号、及びプロトコル識別子のうちの少なくとも１を含むことを特徴とする請求項１又は２に記載の方法。
【請求項４】
無線通信網においてルータのリソースを予約するシステムであって、
第１のエージェントと、
前記第１のエージェントと通信を行う第２のエージェントと、
前記第１のエージェントと前記第２のエージェントの間の経路上に存在するルータと、
前記第２のエージェントと通信を行う、前記第１のエージェントとは異なる第３のエージェントと、
前記第２のエージェントと前記第３のエージェントの間の経路上に存在するルータと
を有し、
前記第１のエージェントは、第２のエージェントに対して、当該第１のエージェントの識別情報を含む第１のパスメッセージを送信し、
前記第１のパスメッセージを受信した前記第２のエージェントは、前記第１のエージェントに対して、前記第１のエージェントの識別情報と第１のセッションオブジェクトとを含む第１の予約要求メッセージを送信し、
前記第２のエージェントと前記第１のエージェントの間の経路上に位置し、前記第１の予約要求メッセージを中継するルータは、当該第１の予約要求メッセージに含まれる前記第１のセッションオブジェクトに対応づけて自身のリソースを予約し、
前記第３のエージェントは、前記第２のエージェントに対して、当該第３のエージェントの識別情報を含む第２のパスメッセージを送信し、
前記第２のパスメッセージを受信した前記第２のエージェントは、前記第３のエージェントに対して、前記第３のエージェントの識別情報と第２のセッションオブジェクトとを含む第２の予約要求メッセージを送信し、
前記第２のエージェントと前記第３のエージェントの間の経路上に位置し、前記第２の予約要求メッセージを中継するルータは、当該第２の予約要求メッセージに含まれる前記第２のセッションオブジェクトに対応づけて自身のリソースを予約し、
前記第２の予約要求メッセージを中継するルータのうち、前記第１の予約要求メッセージを中継したルータは、前記第２の予約要求メッセージに含まれる前記第２のセッションオブジェクトと、前記第１の予約要求メッセージに含まれる前記第１のセッションオブジェクトとが同一の内容を示す情報であって、前記第２の予約要求メッセージに含まれる前記第３のエージェントの識別情報と、前記第１の予約要求メッセージに含まれる前記第１のエージェントの識別情報とが異なる内容を示す情報である場合には、前記第２のセッションオブジェクトに対応づけた自身のリソースの予約を行わないことを特徴とするシステム。
【請求項５】
第１のエージェントから第２のエージェントに対して送信され、前記第２のエージェントの識別情報と第１のセッションオブジェクトとを含む第１の予約要求メッセージを受信する第１の受信手段と、
前記第１の予約要求メッセージに含まれる前記第１のセッションオブジェクトに対応づけて自身のリソースを予約する第１の予約手段と、
前記第１のエージェントから、前記第２のエージェントとは異なる第３のエージェントに対して送信され、前記第３のエージェントの識別情報と第２のセッションオブジェクトとを含む第２の予約要求メッセージを受信する第２の受信手段と、
前記第２の予約要求メッセージに含まれる前記第２のセッションオブジェクトに対応づけて自身のリソースを予約する第２の予約手段と
を有するルータであって、
前記第２の予約手段は、前記第２の予約要求メッセージに含まれる前記第２のセッションオブジェクトと、前記第１の予約要求メッセージに含まれる前記第１のセッションオブジェクトとが同一の内容を示す情報であって、前記第２の予約要求メッセージに含まれる前記第３のエージェントの識別情報と、前記第１の予約要求メッセージに含まれる前記第２のエージェントの識別情報とが異なる内容を示す情報である場合には、前記第２のセッションオブジェクトに対応づけた自身のリソースの予約を行わないことを特徴とするルータ。
【請求項６】
無線通信網においてルータのリソースを予約する方法であって、
第１のエージェントが、第２のエージェントに対して、第１のセッションオブジェクトを含む第１の予約要求メッセージを送信するステップと、
前記第１のエージェントと前記第２のエージェントの間の経路上に位置し、前記第１の予約要求メッセージを中継するルータが、当該第１の予約要求メッセージに含まれる前記第１のセッションオブジェクトに対応づけて自身のリソースを予約するステップと、
前記第１のエージェントとは異なる第３のエージェントが、前記第２のエージェントに対して、前記第１のセッションオブジェクトと、前記第１のセッションオブジェクトとは異なる第２のセッションオブジェクトとを含む第２の予約要求メッセージを送信するステップと、
前記第３のエージェントと前記第２のエージェントの間の経路上に位置し、前記第２の予約要求メッセージを中継するルータが、当該第２の予約要求メッセージに含まれる前記第２のセッションオブジェクトに対応づけて自身のリソースを予約するステップと
を有し、
前記第２の予約要求メッセージを中継するルータは、前記第２の予約要求メッセージに含まれる前記第１のセッションオブジェクトと自身のリソースが対応づけられている場合には、当該第１のセッションオブジェクトに代えて前記第２のセッションオブジェクトを当該リソースに対応づけることを特徴とする方法。
【請求項７】
前記第１のセッションオブジェクトは、前記第１のエージェントのアドレス、前記第１のエージェントのポート番号、及びプロトコル識別子のうちの少なくとも１を含み、前記第２のセッションオブジェクトは、前記第３のエージェントのアドレス、前記第３のエージェントのポート番号、及びプロトコル識別子のうちの少なくとも１を含むことを特徴とする請求項６に記載の方法。
【請求項８】
無線通信網においてルータのリソースを予約するシステムであって、
第１のエージェントと、
第１のエージェントと通信を行う第２のエージェントと、
前記第１のエージェントと前記第２のエージェントの間の経路上に存在するルータと、
前記第２のエージェントと通信を行う、前記第１のエージェントとは異なる第３のエージェントと、
前記第２のエージェントと前記第３のエージェントの間の経路上に存在するルータと
を有し、
前記第１のエージェントは、前記第２のエージェントに対して、第１のセッションオブジェクトを含む第１の予約要求メッセージを送信し、
前記第１のエージェントと前記第２のエージェントの間の経路上に位置し、前記第１の予約要求メッセージを中継するルータは、当該第１の予約要求メッセージに含まれる前記第１のセッションオブジェクトに対応づけて自身のリソースを予約し、
前記第３のエージェントは、前記第２のエージェントに対して、前記第１のセッションオブジェクトと、前記第１のセッションオブジェクトとは異なる第２のセッションオブジェクトとを含む第２の予約要求メッセージを送信し、
前記第３のエージェントと前記第２のエージェントの間の経路上に位置し、前記第２の予約要求メッセージを中継するルータは、当該第２の予約要求メッセージに含まれる前記第２のセッションオブジェクトに対応づけて自身のリソースを予約し、
前記第２の予約要求メッセージを中継するルータは、前記第２の予約要求メッセージに含まれる前記第１のセッションオブジェクトと自身のリソースが対応づけられている場合に、当該第１のセッションオブジェクトに代えて前記第２のセッションオブジェクトを当該リソースに対応づけることを特徴とするシステム。
【請求項９】
第１のエージェントから第２のエージェントに対して送信され、第１のセッションオブジェクトを含む第１の予約要求メッセージを受信する第１の受信手段と、
前記第１の予約要求メッセージに含まれる前記第１のセッションオブジェクトに対応づけて自身のリソースを予約する第１の予約手段と、
前記第１のエージェントとは異なる第３のエージェントから前記第２のエージェントに対して送信され、前記第１のセッションオブジェクトと、前記第１のセッションオブジェクトとは異なる第２のセッションオブジェクトとを含む第２の予約要求メッセージを受信する第２の受信手段と、
前記第２の予約要求メッセージに含まれる前記第２のセッションオブジェクトに対応づけて自身のリソースを予約する第２の予約手段と
を有するルータであって
前記第２の予約要求メッセージに含まれる前記第１のセッションオブジェクトが自身のリソースと対応づけられている場合に、当該第１のセッションオブジェクトに代えて前記第２のセッションオブジェクトを当該リソースに対応づけることを特徴とするルータ。